【手続補正書】
【提出日】平成23年10月6日(2011.10.6)
【手続補正１】
【補正対象書類名】特許請求の範囲
【補正対象項目名】全文
【補正方法】変更
【補正の内容】
【特許請求の範囲】
【請求項１】
（ａ）熱硬化性または熱可塑性のポリマーを含んでなるプラスチック物品を提供すること、ただし該プラスチック物品はジエチレングリコールビスアリルカーボネートから調製されたポリマーを含まない、
（ｂ）前記プラスチック物品の表面の少なくとも一部を少なくとも１つの染料および水を含んでなる処理用組成物と接触させること、
（ｃ）色味付けされたプラスチック物品を形成するのに少なくとも十分な時間、前記プラスチック物品の前記部分を前記処理用組成物と接触させた状態で保持すること、
（ｄ）前記色味付けされたプラスチック物品を前記処理用組成物との接触から取り出すこと、および
（ｅ）前記色味付けされたプラスチック物品を水で洗浄して、過剰な染料を除去すること
を含んでなり、該処理用組成物が有機溶媒を含まないことを特徴とする、プラスチック物品を色味付ける方法。
【請求項２】
染料が水溶性液体染料である、請求項１に記載の方法。
【請求項３】
染料がアルキレンオキシ置換発色団である、請求項２に記載の方法。
【請求項４】
前記処理用組成物を２５〜９９℃の温度で維持する、請求項１に記載の方法。
【請求項５】
前記プラスチック物品を、
（Ｉ）前記処理用組成物中に前記プラスチック物品の表面の少なくとも一部を浸漬すること、および
（ＩＩ）前記処理用組成物を前記プラスチック物品の表面の少なくとも一部に塗布すること
の少なくとも１つによって、前記処理用組成物と接触させる、請求項１に記載の方法。
【請求項６】
前記処理用組成物は１以上の界面活性剤をさらに含む、請求項１に記載の方法。
【請求項７】
前記界面活性剤は前記処理用組成物の全重量を基準として１〜１５重量％の量で存在する、請求項６に記載の方法。
【請求項８】
（ｉ）前記処理用組成物を粒状活性炭と接触させて前記処理用組成物と粒状活性炭との混合物を形成すること、
（ｉｉ）実質的に染料を含まないおよび／または添加剤を含まない、水を含む液体を前記混合物から単離すること、
（ｉｉｉ）必要に応じて、少なくとも１つの染料を、前記実質的に添加剤を含まない水に添加し、これにより、さらなる処理用組成物を形成すること
をさらに含む、請求項１に記載の方法。
【手続補正２】
【補正対象書類名】明細書
【補正対象項目名】００６８
【補正方法】変更
【補正の内容】
【００６８】
例示の目的で本発明を上記に詳しく説明したが、そのような詳細は、単なる例示目的にすぎず、請求の範囲によって限定され得ることを除き、本発明の精神および範囲から逸脱せずに当業者によって変更され得ると理解される。
本発明の好ましい態様は、以下を包含する。
［１］（ａ）熱硬化性または熱可塑性のポリマーを含んでなるプラスチック物品を提供すること、ただし該プラスチック物品はジエチレングリコールビスアリルカーボネートから調製されたポリマーを含まない、
（ｂ）前記プラスチック物品の表面の少なくとも一部を少なくとも１つの染料および水を含んでなる処理用組成物と接触させること、
（ｃ）色味付けされたプラスチック物品を形成するのに少なくとも十分な時間、前記プラスチック物品の前記部分を前記処理用組成物と接触させた状態で保持すること、
（ｄ）前記色味付けされたプラスチック物品を前記処理用組成物との接触から取り出すこと、および
（ｅ）前記色味付けされたプラスチック物品を水で洗浄して、過剰な染料を除去すること
を含んでなり、該処理用組成物が有機溶媒を含まないことを特徴とする、プラスチック物品を色味付ける方法。
［２］染料が水溶性液体染料である、［１］に記載の方法。
［３］染料がアルキレンオキシ置換発色団である、［２］に記載の方法。
［４］前記処理用組成物を２５〜９９℃の温度で維持する、［１］に記載の方法。
［５］前記処理用組成物を５０〜７５℃の温度で維持する、［４］に記載の方法。
［６］前記時間が０．１秒未満〜５分である、［１］に記載の方法。
［７］前記時間が３０秒〜３分である、［６］に記載の方法。
［８］前記プラスチック物品を、
（Ｉ）前記処理用組成物中に前記プラスチック物品の表面の少なくとも一部を浸漬すること、および
（ＩＩ）前記処理用組成物を前記プラスチック物品の表面の少なくとも一部に塗布すること
の少なくとも１つによって、前記処理用組成物と接触させる、［１］に記載の方法。
［９］前記処理用組成物を噴霧塗布、カーテン塗布、流し塗りおよびスピン塗布の少なくとも１つによって前記プラスチック物品の表面の少なくとも一部に塗布する、［８］に記載の方法。
［１０］前記熱可塑性または熱硬化性のポリマーは、ポリカーボネート、ポリエステル、ポリエステルポリカーボネートコポリマーおよびブレンド、ポリエチレングリコール（ＰＥＴＧ）、ポリメチルメタクリレート（ＰＭＭＡ）、ポリウレタン、ポリウレタン、スチレン−アクリロニトリル（ＳＡＮ）、アクリロニトリル−ブタジエン−スチレン（ＡＢＳ）ナイロン、ポリビニルアルコール、可塑化ポリ塩化ビニルおよびこれらの混合物からなる群から選択されるポリマーを含んでなる、［１］に記載の方法。
［１１］前記処理用組成物は１以上の界面活性剤をさらに含む、［１］に記載の方法。
［１２］界面活性剤はアニオン性界面活性剤、両性界面活性剤、非イオン性界面活性剤およびこれらの混合物からなる群から選択される、［１１］に記載の方法。
［１３］界面活性剤はグリコール類からなる群から選択される、［１１］に記載の方法。
［１４］界面活性剤はジエチレングリコールである、［１３］に記載の方法。
［１５］前記界面活性剤は前記処理用組成物の全重量を基準として１〜１５重量％の量で存在する、［１１］に記載の方法。
［１６］前記プラスチック物品は、顔料、架橋ポリメチルメタクリレート微小球、ガラス微少球および金属フレークの少なくとも１つを含む、［１］に記載の方法。
［１７］前記プラスチック物品は、造形品、フィルムおよびシートからなる群から選択される成形品である、［１］に記載の方法。
［１８］前記成形品は、光学レンズ、眼科用レンズ、日除けレンズ、フェイスシールド、窓ガラスおよび運動靴部品からなる群から選択される造形品である、［１６］に記載の方法。
［１９］成形品が運動靴部品である、［１６］に記載の方法。
［２０］前記プラスチック物品は、熱可塑性ペレットおよび熱可塑性ストランドからなる群から選択される、［１］に記載の方法。
［２１］前記処理された熱可塑性ペレットおよび前記処理された熱可塑性ストランドの少なくとも１つを溶融して、処理された溶融熱可塑性組成物を形成すること、および前記処理された溶融熱可塑性組成物を型内に導入し、これにより、処理された造形成形品を形成することをさらに含む、［２０］に記載の方法。
［２２］（ｉ）前記処理用組成物を粒状活性炭と接触させて前記処理用組成物と粒状活性炭との混合物を形成すること、
（ｉｉ）実質的に染料を含まないおよび／または添加剤を含まない、水を含む液体を前記混合物から単離すること、
（ｉｉｉ）必要に応じて、少なくとも１つの染料を、前記実質的に添加剤を含まない水に添加し、これにより、さらなる処理用組成物を形成すること
をさらに含む、［１］に記載の方法。
［２３］前記処理用組成物を、複数の穿孔を有するリングを通して連続的に浸漬タンク中に導入することをさらに含む、［１］に記載の方法。